(57)【要約】【課題】扉の貯蔵室側に収納ポケットを備える冷蔵庫において、貯蔵室内における冷気循環の悪化を抑える。【解決手段】前面に開口部を有する貯蔵室１０を形成する冷蔵庫本体２と、貯蔵室１０の開口部を開閉する扉２０，２１と、扉２０，２１の貯蔵室側に設けられた収納ポケット５０，５３とを備え、収納ポケット５０，５３は、底部５０ａ，５３ａと、底部５０ａ，５３ａの周縁に設けられた周壁５０ｂ、５０ｃ、５０ｄ、５３ｂ、５３ｃ、５３ｄと、底部５０ａ，５３ａの前側及び周壁５０ｂ、５０ｃ、５０ｄ、５３ｂ、５３ｃ、５３ｄの少なくとも一方に設けられた貫通孔５０ｉ，５３ｉとを備える。【選択図】        図６
2020112309.tif 000002
【特許請求の範囲】
【請求項１】
前面に開口部を有する貯蔵室を形成する冷蔵庫本体と、
前記貯蔵室の前記開口部を開閉する扉と、
前記扉の貯蔵室側に設けられた収納ポケットとを備え、
前記収納ポケットは、底部と、前記底部の周縁に設けられた周壁と、前記底部の前側及び前記周壁の少なくとも一方に設けられた貫通孔とを備える冷蔵庫。
【請求項２】
前記収納ポケットは、内部を仕切る仕切部を備え、
前記仕切部の前方に前記貫通孔が設けられている請求項１に記載の冷蔵庫。
【請求項３】
前記仕切部は、前記収納ポケットの内部を前後に仕切っている請求項２に記載の冷蔵庫。
【請求項４】
前記底部及び前記周壁の少なくとも一部に模様が付された模様部を備え、前記模様部に前記貫通孔が設けられている請求項１〜３のいずれか１項に記載の冷蔵庫。
【請求項５】
前記模様部は、所定方向に沿って設けられた模様要素を備え、
前記貫通孔は、前記模様要素と同じ方向に沿って設けられている請求項４に記載の冷蔵庫。
【請求項６】
前記貫通孔は、長丸形状をなしている請求項１〜５のいずれか１項に記載の冷蔵庫。
【請求項７】
成形時のゲート跡が前記貫通孔と並んで設けられている請求項１〜６のいずれか１項に記載の冷蔵庫。
【請求項８】
前記ゲート跡を挟んで複数の前記貫通孔が設けられている請求項７に記載の冷蔵庫。
【請求項９】
上下方向に間隔をあけて複数の前記収納ポケットが設けられ、
最下段に設けられた前記収納ポケットに前記貫通孔が設けられている請求項１〜８のいずれか１項に記載の冷蔵庫。
【請求項１０】
前記貯蔵室の前記開口部を開閉する左扉と右扉とを備え、
前記左扉及び前記右扉は、前記貫通孔を有する前記収納ポケットを備え、
前記左扉の前記収納ポケットの前記貫通孔と前記右扉の前記収納ポケットの前記貫通孔とが左右方向において重なるように設けられている請求項１〜９のいずれか１項に記載の冷蔵庫。
【発明の詳細な説明】
【技術分野】
【０００１】
本発明の実施形態は、冷蔵庫に関するものである。
【背景技術】
【０００２】
冷蔵庫は、扉の上部と下部に設けられた下側支持部と上側支持部に支持された回動式の扉によって、冷蔵庫本体の内部に形成された貯蔵室の前面開口部が閉塞されている。回動式の扉を備える冷蔵庫では、扉の貯蔵室側に収納ポケットを設け、貯蔵室に設けられた棚板と扉との間に生じる空間を貯蔵空間として有効利用している（例えば、下記特許文献１参照）。
【０００３】
しかしながら、このような冷蔵庫では、収納ポケットの収納容積を拡大するため、扉から棚板側へ収納ポケットを突出させると、貯蔵室内での冷気の循環が悪くなり、貯蔵室内への冷気の吹き出し口付近にある貯蔵物が凍結したり、貯蔵室内にある温度センサが貯蔵物より先に冷却され、貯蔵物の冷却が不十分になったりするおそれがある。
【先行技術文献】
【特許文献】
【０００４】
【特許文献１】特開２０１２−２４７１５３号公報
【発明の概要】
【発明が解決しようとする課題】
【０００５】
そこで、貯蔵室側に収納ポケットを備える冷蔵庫において、貯蔵室内における冷気循環の悪化を抑えることを目的とする。
【課題を解決するための手段】
【０００６】
本実施形態の冷蔵庫は、前面に開口部を有する貯蔵室を形成する冷蔵庫本体と、前記貯蔵室の前記開口部を開閉する扉と、前記扉の貯蔵室側に設けられた収納ポケットとを備え、前記収納ポケットは、底部と、前記底部の周縁に設けられた周壁部と、前記底部の前側及び前記周壁部の少なくとも一方に設けられた貫通孔とを備えるものである。
【図面の簡単な説明】
【０００７】
【図１】本発明の第１実施形態の冷蔵庫の扉を開いた状態を示す斜視図
【図２】図１の冷蔵庫の断面図
【図３】図２のＡ−Ａ断面図
【図４】右扉の最下段に設けられた収納ポケットの斜視図
【図５】左扉の最下段に設けられた収納ポケットの斜視図
【図６】図２の要部を拡大して示す図
【図７】第１実施形態の変更例を示す収納ポケットの平面図
【図８】第２実施形態の冷蔵庫における収納ポケットの斜視図
【図９】図８の収納ポケットの断面図
【図１０】第２実施形態の変更例を示す収納ポケットの平面図
【図１１】第２実施形態の他の変更例を示す収納ポケットの平面図
【発明を実施するための形態】
【０００８】
（第１実施形態）
以下、第１実施形態の冷蔵庫について図面に基づいて説明する。
【０００９】
本実施形態に係る冷蔵庫１は、図１及び図２に示すように、前面に開口する断熱箱体からなる冷蔵庫本体（以下、本体ということもある）２を備える。本体２は、鋼板製の外箱と合成樹脂製の内箱との間に形成された断熱空間に真空断熱材や発泡断熱材等の断熱材を有して構成されている。本体２は内箱の内側に複数の貯蔵空間が設けられており、貯蔵空間が断熱仕切壁３によって上下に区画されている。
【００１０】
断熱仕切壁３の上方の空間は、冷蔵温度帯（例えば、１〜４℃）に冷却される貯蔵室であり、内部がさらに仕切壁４によって上下に区画されている。仕切壁４の上方には冷蔵室１０が設けられ、仕切壁４の下方には野菜室１２が設けられている。仕切壁４は、後述する最下段の収納ポケット５０，５３の前側部分と対向する位置に、仕切壁４の前端部に比べて下方へ凹んだ凹部４ａが設けられている。
【００１１】
冷蔵室１０の内部は、複数の棚板７によって上下に複数段に区画されている。仕切壁４と最下段の棚板７とで上下に仕切られた空間には、引出式のチルド容器８が設けられている。
【００１２】
断熱仕切壁３の下方の空間は、自動製氷機を備えた製氷室１４と第１冷凍室１６とが左右に併設され、その下方に仕切板１９を介して第２冷凍室１８が設けられている。製氷室１４、第１冷凍室１６及び第２冷凍室１８は、いずれも冷凍温度帯（例えば、−１７℃以下）に冷却される。
【００１３】
冷蔵室１０の前面開口部は、該開口部を幅方向に区分する観音開き式の左扉２０及び右扉２１により閉塞される。左扉２０および右扉２１は、冷蔵庫本体の左右両側に設けた上下一対のヒンジ２２により回動自在に枢支されている。左扉２０および右扉２１の背面周縁部には、内部にマグネットを備えたガスケット２３が全周縁にわたって取り付けられている。
【００１４】
左扉２０の枢支側に対向する反枢支側の背面には、上下方向に沿って延びた回動仕切体７０が、左扉２０の右端部にある上下一対のヒンジ（不図示）によって回動自在に取り付けられている。回動仕切体７０は、左扉２０の開閉に連動して回動するように構成されており、図３に示すような左扉２０を閉じた状態では、左扉２０の右端部から右扉２１へ突出する姿勢となって左扉２０及び右扉２１の背面に設けられたガスケット２３に当接して右扉２１との間の隙間を閉塞し、図１に示すような左扉２０を開いた状態では、左扉２０の後方へ突出する姿勢となって左扉２０の開閉時に右扉２１に接触しない位置へ退避する。
【００１５】
左扉２０及び右扉２１の扉内側、すなわち貯蔵室側には、合成樹脂を所定形状に成形した複数の収納ポケット５０、５１，５２，５３，５４，５５が設けられている。
【００１６】
詳細には、左扉２０の扉内側材２０ａ及び右扉２１の扉内側材２１ａには、幅方向両端部に庫内へ突出する左右一対の突条５７，５７が設けられている。左扉２０に設けられた左右一対の突条５７，５７の間には、上下に間隔を開けて複数段（本実施形態では、３段）の収納ポケット５０、５１，５２が取り付けられている。また、右扉２１に設けられた左右一対の突条５７，５７の間には、上下に間隔を開けて複数段（本実施形態では、３段）の収納ポケット５３、５４，５５が取り付けられている。
【００１７】
左扉２０及び右扉２１において最下段に設けられた収納ポケット５０、５３は、例えば、牛乳パックやペットボトルやビンなど背の高い物品等を収容可能に設けた容器である。収納ポケット５０、５３の上方に設けられた中段の収納ポケット５１、５４と、中段の収納ポケット５１、５４の上方に設けられた上段の収納ポケット５２、５５は、例えば、缶飲料やビン詰め食品などの小物を収納するトレイ状の容器である。
【００１８】
右扉２１の最下段に設けられた収納ポケット５３は、収納物を支持する底部５３ａと、底部５３ａの周縁部の前側（庫内側）及び左右から上方へ延びる周壁５３ｂ、５３ｃ、５３ｄとを備える。前側の周壁５３ｂは、左右方向の端部において左側の周壁５３ｃ及び右側の周壁５３ｄに連結され、扉開閉時に収納物が落下するのを防止する。
【００１９】
このような収納ポケット５３は、左右の周壁５３ｃ、５３ｄの後側（庫外側）に設けられた取付部５３ｅ，５３ｅが右扉２１の突条５７，５７に取り付けられることで、扉内側材２１ａとの間に収納物を収容する領域を形成する。収納ポケット５３の内部は、左右の周壁５３ｃ，５３ｄを繋ぐように設けられた横仕切部５３ｆによって前後に区画されている。
【００２０】
収納ポケット５３の底部５３ａの前側には、底部５３ａを貫通する貫通孔５３ｉが設けられている。図３及び図４に示す例では、左右方向に沿って細長く延び端部を円弧状に丸めた長丸形状の貫通孔５３ｉが、横仕切部５３ｆの前方に複数個（本実施形態では２個）設けられている。２個の貫通孔５３ｉは、左右方向に間隔を開け、かつ、前後方向に一致するように左右方向に並んで設けられている。
【００２１】
なお、貫通孔５３ｉを設ける位置は、収納ポケット５３の底部５３ａの前後方向中央部より前側であれば特に限定されないが、図２及び図６に示すような閉扉状態において、仕切壁４に設けられた凹部４ａと上下に対向する位置に貫通孔５３ｉを設けることが好ましい。また、貫通孔５３ｉは、前側の周壁５３ｂから貫通孔５３ｉまでの前後方向の距離Ｌが、前側の周壁５３ｂの高さ（底部５３ａから周壁５３ｂの先端まで突出方向の長さ）Ｈより小さくなるように、底部５３ａに設けることが好ましい。
【００２２】
図３及び図４において、符号５３ｊは、収納ポケット５３の成形時に金型のキャビティ内に樹脂を注入するためのゲートにより形成されるゲート跡であって、通常、ゲートの開口形状に対応した平面形状をなした僅かな突起として収納ポケット５３の表面に現れる。このゲート跡５３ｊは、２個の貫通孔５３ｉの間において、貫通孔５３ｉが延びる方向に貫通孔５３ｉと並んで設けられている。つまり、２個の貫通孔５３ｉが、ゲート跡５３ｊを挟んで収納ポケット５３の底部５３ａに設けられている。
【００２３】
また、図３及び図５に示すように、左扉２０の最下段に設けられた収納ポケット５０は、上記した右扉２１の最下段の収納ポケット５３と同様、収納物を支持する底部５０ａと、底部５０ａの周縁部の前側（庫内側）及び左右から上方へ延びる周壁５０ｂ、５０ｃ、５０ｄとを備える。収納ポケット５０は、左右の周壁５０ｃ、５０ｄの後側（庫外側）に設けられた取付部５０ｅ，５０ｅが左扉２０の突条５７，５７に取り付けられることで、扉内側材２０ａとの間に収納物を収容する領域を形成する。
【００２４】
収納ポケット５０の内部は、左右の周壁５０ｃ，５０ｄを繋ぐように設けられた横仕切部５０ｆによって前後に区画されるとともに、左右方向中央部より右側の周壁５０ｄに寄った位置において後端から前方へ向けて延設された前後仕切部５０ｇによって左右に区画されている。また、右側の周壁５０ｄと前後仕切部５０ｇとの間は、複数の小仕切５０ｈによって前後に区画されている。
【００２５】
収納ポケット５０の底部５０ａの前側には、底部５０ａを貫通する貫通孔５０ｉが設けられている。図３及び図５に示す例では、左右方向に沿って細長く延び端部を円弧状に丸めた長丸形状の貫通孔５０ｉが、横仕切部５０ｆ及び前後仕切部５０ｇより前方に設けられている。貫通孔５０ｉの長手方向の長さは、ビール等の缶飲料や、牛乳等の紙パック容器や、その他飲料や調味料等のペットボトル等によって貫通孔５０ｉが完全に塞がれることがない大きさに設定することが好ましく、例えば、長手方向の長さを８ｃｍ以上（本実施形態では８ｃｍ）とすることが好ましい。
【００２６】
なお、貫通孔５０ｉを設ける位置は、収納ポケット５０の底部５０ａの前後方向中央部より前側であれば特に限定されないが、仕切壁４に設けられた凹部４ａと上下に対向する位置に貫通孔５０ｉを設けることが好ましい。本実施形態では、図３に示すように貫通孔５０ｉが、右扉２１の収納ポケット５３に設けられた貫通孔５３ｉと前後方向に一致するように設けられている。つまり、貫通孔５０ｉが貫通孔５３ｉと左右方向において重なるように設けられている。
また、貫通孔５０ｉは、前側の周壁５０ｂから貫通孔５０ｉまでの前後方向の距離が前側の周壁５０ｂの高さより小さくなるように、底部５０ａに設けることが好ましい。
【００２７】
図３及び図５において、符号５０ｊは、収納ポケット５０の成形時に金型のキャビティ内に樹脂を注入するためのゲートにより形成されるゲート跡である。このゲート跡５０ｊは、貫通孔５０ｉが延びる方向（つまり、左右方向）に貫通孔５０ｉと並んで設けられている。
【００２８】
野菜室１２の前面開口部は、引出し式の野菜室扉２４により閉塞されている。野菜室扉２４の庫内側には、貯蔵容器２８を保持する左右一対の支持枠が固着され、開扉動作とともに貯蔵容器２８が庫外に引き出されるように構成されている。
【００２９】
また、製氷室１４、第１冷凍室１６、及び第２冷凍室１８の開口部は、野菜室１２と同様、引き出し式の扉２５，２６，２７により閉塞されている。
【００３０】
冷蔵室１０及び野菜室１２の後部には、エバカバー２９で前後に仕切られた冷蔵冷却器室３２が設けられている。冷蔵冷却器室３２には、冷蔵冷却器３０、冷蔵ファン３１等が収納されている。
【００３１】
製氷室１４、第１冷凍室１６、及び第２冷凍室１８の後部には、エバカバー４０で前後に仕切られた冷凍冷却器室３６と、製氷室１４、第１冷凍室１６、及び第２冷凍室１８と冷凍冷却器室３６とを連結するダクト３７とが形成されている。冷凍冷却器室３６には、冷凍冷却器３４、冷凍ファン３５等が収納されている。
【００３２】
冷蔵冷却器３０及び冷凍冷却器３４は、機械室３８に収納された圧縮機３９や凝縮器（不図示）とともに冷凍サイクルを構成する。冷凍サイクルでは、圧縮機３９から吐出された冷媒が不図示の切替弁によって冷蔵冷却器３０及び冷凍冷却器３４の一方に供給されることで所定温度に冷蔵冷却器３０及び冷凍冷却器３４が冷却される。
【００３３】
冷蔵冷却器３０は、冷蔵冷却器室３２の空気を冷却して、例えば、−１０〜−２０℃の冷気を生成する。図１及び図６において冷気の流れを矢印で示すように、冷蔵冷却器室３２で生成された冷気は、冷蔵ファン３１の回転によって、ダクト３３を介して吹出口３３ａから冷蔵室１０に供給され、棚板７に載置された貯蔵品を冷却しながら後方から前方に向かって流れた後、棚板７の前方において下方へ流れる。
【００３４】
棚板７の前方を下方へ流れる冷気は、最下段の収納ポケット５０、５３の前側の周壁５０ｂ，５３ｂとチルド容器８との間に形成された隙間Ｓや、最下段の収納ポケット５０、５３の底部５０ａ、５３ａの前側に設けられた貫通孔５０ｉ、５３ｉを通ってチルド容器８の下方へ流れ込み、仕切壁４とチルド容器８との間に形成された空間を後方へ向かって流れる。
【００３５】
そして、冷蔵室１０を流れた冷気の一部は、仕切壁４の後部に設けられ、収納ポケット５０，５３に設けられた貫通孔５０ｉ，５３ｉより下方に位置する吸込口５から冷蔵冷却器室３２へ戻り、残りの空気は仕切壁４に設けられた連通路６を通って野菜室１２の後方上部へ流れ込み、野菜室１２内部を冷却した後、吸込口９から冷蔵冷却器室３２へ戻る。冷蔵冷却器室３２に戻った冷気は、冷蔵冷却器３０と熱交換して冷却された後、再びダクト３３を介して吹出口３３ａから冷蔵室１０に供給される。
【００３６】
冷凍冷却器３４は、冷凍冷却器室３６の空気を冷却して、例えば、−２０〜−３０℃の冷気を生成する。生成した冷気は、冷凍ファン３５の回転によってダクト３７を介して製氷室１４、第１冷凍室１６及び第２冷凍室１８に供給され、これらの貯蔵室１４，１６，１８を冷却する。
【００３７】
本実施形態の冷蔵庫１では、扉２０、２１の内側に設けられた収納ポケット５０，５３の底部５０ａ，５３ａの前側に、冷気を冷蔵室１０の外部へ排出する吸込口５より上方に貫通孔５０ｉ，５３ｉが設けられているため、収納ポケット５０、５３の前側の周壁５０ｂ，５３ｂとチルド容器８との間に形成された隙間Ｓに加え、貫通孔５０ｉ，５３ｉから冷蔵室１０内を冷却した冷気を冷蔵室１０の下部へ流すことができる。そのため、上記隙間Ｓが小さい場合であっても、冷蔵室１０内部の空気や貯蔵物との熱交換により温度上昇した冷気の循環が阻害されにくくなり、貯蔵室内への冷気の吹き出し口付近にある貯蔵物が凍結したり、貯蔵室内にある温度センサが貯蔵物より先に冷却され、貯蔵物の冷却が不十分になったりする不具合を抑えることができる。
【００３８】
本実施形態では、横仕切部５０ｆ、５３ｆや前後仕切部５０ｇの前方に貫通孔５０ｉ、５３ｉが設けられているため、収納ポケット５０，５３の内部に流れ込んだ冷気が貫通孔５０ｉ，５３ｉを通過するのを仕切部５０ｆ，５３ｆ，５０ｇによって遮られにくくなり、スムーズに冷気を循環させることができる。
【００３９】
本実施形態では、収納ポケット５０，５３に設けた貫通孔５０ｉ，５３ｉが細長く延び端部を円弧状に丸めた長丸形状をなしている。そのため、貫通孔５０ｉ，５３ｉの全体が収納ポケット５０，５３の収納物によって塞がれにくくなり、収納ポケット５０，５３に収納物が存在する場合であっても冷気の循環経路を確保することができるとともに、貫通孔５０ｉ，５３ｉの端部を起点としてクラックなどが発生しにくくなり収納ポケット５０，５３の強度を確保することができる。
【００４０】
本実施形態では、収納ポケット５０、５３の成形時に形成されるゲート跡５０ｊ，５３ｊが、貫通孔５０ｉ、５３ｉが延びる方向に貫通孔５０ｉ，５３ｉと並んで設けられているため、金型のキャビティ内に樹脂を注入した時に、貫通孔５０ｉ，５３ｉの周囲における樹脂流れがスムーズとなり、貫通孔５０ｉ，５３ｉの形成による収納ポケット５０、５３の強度低下を抑えることができる。特に、収納ポケット５３のように複数の貫通孔５３ｉ、５３ｉを設ける場合、ゲート跡５３ｊを挟むように貫通孔５３ｉ，５３ｉを設けることで、複数の貫通孔５３ｉ，５３ｉの間に樹脂が確実に流れるようになり、収納ポケット５３の強度低下を抑えつつ複数の貫通孔５３ｉ、５３ｉを設けることができる。
【００４１】
また、本実施形態のような冷蔵庫１において、扉２０，２１に収納ポケットを上下に複数段設ける場合、最下段の収納ポケット５０，５３は、中段や上段の収納ポケットに比べて大きな物品を収納できるように扉２０，２１から貯蔵室側への突出量が多くなりやすい。本実施形態では、最下段の収納ポケット５０，５３に貫通孔５０ｉ，５３ｉが設けられているため、冷気の循環を確保しつつ最下段の収納ポケット５０，５３において収納容量を拡大することができる。
【００４２】
しかも、本実施形態のように仕切壁４に設けられた凹部４ａと上下に対向する位置に収納ポケット５０，５３の貫通孔５０ｉ，５３ｉが設けられている場合では、貫通孔５０ｉ，５３ｉの下方に十分な空間が形成され、収納ポケット５０，５３の内部に流れ込んだ冷気が、貫通孔５０ｉ，５３ｉを通って収納ポケット５０，５３の下方へ排出されやすくなり、より一層スムーズに冷気を循環させることができる。
【００４３】
また、収納ポケット５０，５３の前側の周壁５０ｂ、５３ｂから貫通孔５０ｉ、５３ｉまでの前後方向の距離が、前側の周壁５０ｂ、５３ｂの高さより小さくなるように、貫通孔５０ｉ，５３ｉを底部５０ａ，５３ａに設けることで、使用者から貫通孔５０ｉ，５３ｉが見えにくくなり、美観を損ねることなく収納ポケット５０，５３に貫通孔５０ｉ，５３ｉを設けることができる。
【００４４】
（第１実施形態の変更例）
上記した第１実施形態では、最下段の収納ポケット５０，５３の底部５２ａの前側に長丸形状の貫通孔５０ｉ，５３ｉを設けたが、収納ポケット５０，５３に設ける貫通孔の形状は特に限定されない。例えば、図７（ａ）に示すような左右方向に沿って細長く延び端部が角張った細長い矩形状の貫通孔１５３Ａｉを設けたり、図７（ｂ）に示すような円形状の貫通孔１５３Ｂｉを並べて設けたり、図７（ｃ）に示すような矩形状の正方形状の貫通孔１５３Ｃｉを格子状に並べて設けたり、特に図示しないが、円形状や矩形状の貫通孔を千鳥状に並べて設けてもよい。
【００４５】
このような各種貫通孔１５３Ａｉ、１５３Ｂｉ、１５３Ｃｉを設けた収納ポケット１５３Ａ、１５３Ｂ、１５３Ｃであっても上記した第１実施形態と同様の作用効果が奏される。
【００４６】
また、図７（ａ）に示すような細長い矩形状の貫通孔１５３Ａｉを設ける場合では、端部を円弧状に丸めた長丸形状の貫通孔に比べ、端部において開口面積を大きくすることができ、冷蔵室１０内の冷気が貫通孔１５３Ａｉを通過しやすくなり、冷蔵室１０内の冷気をスムーズに循環させることができる。
【００４７】
また、図７（ｂ）及び図７（ｃ）に示すような貫通孔１５３Ｂｉ、１５３Ｃｉを多数個設ける場合では、収納ポケットの強度を確保しながら開口面積を拡大することができたり、収納ポケットの底部の形状に合わせて貫通孔を配置することができ、所望箇所に貫通孔を配置させやすくなる。
【００４８】
（第２実施形態）
第２実施形態について、主に図８及び図９を参照しながら、第１実施形態と異なる部分を中心に説明する。なお、第１実施形態と同一の構成のものについては、同一の符号を付し、詳細な説明を省略する。
【００４９】
本実施形態では、最下段の収納ポケット２５３の底部５３ａの外側（下側）に複数の模様要素から構成された模様部２５３ａが設けられている。模様部２５３ａは、模様要素として左右方向に沿って延びる断面略三角形状の突条を備え、この突条を前後方向に複数個並べてなる波形の模様が付されている。そして、収納ポケット２５３は、模様部２５３ａが設けられた箇所に貫通孔５３ｉが設けられている。
【００５０】
このように模様部２５３ａに貫通孔５３ｉを設けることで、模様部２５３ａに付された模様によって貫通孔５３ｉが目立ちにくくなるため、美観を損ねることなく収納ポケット２５３に貫通孔５３ｉを設けることができる。
【００５１】
なお、模様部２５３ａに貫通孔５３ｉを設けるにあたって、貫通孔５３ｉは、模様部２５３ａを構成する突条（模様要素）と同じ方向に沿って設けることが好ましい。例えば、図８に示す例では、左右方向に沿って設けられた２つの突条の間に、突条の長手方向に沿って延びる長丸形状の貫通孔５３ｉが設けられている。このように模様部２５３ａを構成する模様要素と同じ方向に沿って貫通孔５３ｉを設けることで、模様部２５３ａに付された模様と貫通孔５３ｉの一体性が高まり、より一層、貫通孔５３ｉが目立ちにくくなる。
【００５２】
（第２実施形態の変更例１）
上記した第２実施形態では、左右方向に沿って延びる突条を前後方向に複数個並べてなる波形模様を模様部２５３ａに付したが、模様部２５３ａに付する模様は特に限定されない。例えば、図１０（ａ）に示すように正方形からなる模様要素を多数並べた格子模様を模様部２５３Ａａに付したり、図１０（ｂ）に示すように菱形からなる模様要素を多数並べた菱模様を模様部２５３Ｂａに付したり、図１０（ｃ）に示すように三角形からなる模様要素を多数並べた鱗模様を模様部２５３Ｃａに付してもよい。
【００５３】
このような模様が付された模様部２５３Ａａ、２５３Ｂａ、２５３Ｃａに貫通孔５３ｉを設けることで上記した第１実施形態と同様の作用効果が奏される。
【００５４】
また、図１０（ａ）のような模様要素を構成する正方形を左右方向に沿って設けた模様部２５３Ａａや、図１０（ｃ）のような模様要素を構成する三角形を左右方向に沿って設けた模様部２５３Ｃａに対して、模様要素の配列方向と同じ方向に沿って延びる長丸形状の貫通孔５３ｉを設けることで、模様部２５３Ａａ、２５３Ｃａに付された模様と貫通孔５３ｉの一体性が高まり、より一層、貫通孔５３ｉが目立ちにくくなる。
【００５５】
（第２実施形態の変更例２）
上記した第２実施形態では、最下段の収納ポケット２５３の底部５２ａに設けられた模様部２５３ａに長丸形状の貫通孔５３ｉを設けたが、模様部２５３ａが設けられた箇所に設ける貫通孔の形状は特に限定されない。
【００５６】
例えば、図１１（ｄ）〜（ｆ）に示すような円形状の貫通孔２５３Ｄｉ，２５３Ｅｉ，２５３Ｆｉを左右方向に沿って並べて設けたり、特に図示しないが、左右方向に沿って細長く延び端部が角張った細長い矩形状の貫通孔を設けたり、矩形状の正方形状の貫通孔を格子状に並べて設けたり、円形状や矩形状の貫通孔を千鳥状に並べて設けてもよい。
【００５７】
このような各種貫通孔２５３Ｄｉ，２５３Ｅｉ，２５３Ｆｉを設けた収納ポケット２５３Ｄ、２５３Ｅ、２５３Ｆであっても、上記した第１実施形態及び第２実施形態と同様の作用効果が奏される。
【００５８】
また、図１１（ｄ）に示すように左右方向に沿って延びる突条からなる模様要素を前後方向に複数個並べてなる波形模様の模様部２５３Ｄａや、図１１（ｅ）に示すように正方形からなる模様要素を左右方向に沿って多数並べた格子模様の模様部２５３Ｅａや、図１１（ｆ）に示すように三角形からなる模様要素を左右方向に沿って多数並べた鱗模様の模様部２５３Ｆａに対して、模様要素の延びる方向や模様要素の配列方向と同じ方向に沿って円形状の貫通孔２５３Ｄｉ、２５３Ｅｉ、２５３Ｆｉを並べて設けることで、模様部２５３Ｄａ、２５３Ｅａ、２５３Ｆａに付された模様と貫通孔２５３Ｄｉ、２５３Ｅｉ、２５３Ｆｉの一体性が高まり、より一層、貫通孔２５３Ｄｉ、２５３Ｅｉ、２５３Ｆｉが目立ちにくくなる。
【００５９】
（第２実施形態の変更例３）
上記した第２実施形態では、収納ポケット２５３の底部５３ａに模様部２５３ａを設けたが、模様部２５３ａを設ける位置はこれに限定されず、底部５３ａに換えて、あるいは底部５３ａとともに周壁５３ｂ、５３ｃ、５３ｄに模様部を設けてもよい。
【００６０】
また、上記した第２実施形態では、底部５３ａの外側に凹凸形状を設けることで模様部２５３ａに模様を形成したが、印刷など種々の方法により模様部に模様を形成してもよい。
【００６１】
（他の実施形態）
上記した第１実施形態及び第２実施形態においては、左扉２０及び右扉２１の最下段に設けられた収納ポケット５０、５３、２５３に貫通孔５０ｉ、５３ｉを設けたが、最下段の収納ポケット５０、５３、２５３に換えて、あるいは最下段の収納ポケット５０、５３、２５３とともに、中段の収納ポケット５１、５４や上段の収納ポケット５２、５５に貫通孔を設けてもよい。
【００６２】
中段の収納ポケット５１、５４や上段の収納ポケット５２、５５に設ける貫通孔の位置は、最下段の収納ポケット５０，５３と同様、収納ポケット５１，５２，５４，５５の底部の前側や周壁であれば特に限定されない。
【００６３】
例えば、貫通孔を有する収納ポケットを上下に複数段配置する場合、中段の収納ポケット５１，５４の貫通孔を上段の収納ポケット５２，５５の貫通孔より前方に設け、最下段の収納ポケット５０，５３の貫通孔５０ｉ，５３ｉを中段の収納ポケット５１，５４の貫通孔より更に前方に設け、下方に位置する収納ポケットになるにつれて貫通孔の位置をより前方に配置してもよい。
【００６４】
このように下方に位置する収納ポケットほど貫通孔の位置を前方にずらして配置することで、上方の収納ポケット内にこぼれた液体が貫通孔から下方の収納ポケットへ垂れても、下方の収納ポケットの貫通孔から直ちに更に下方へ流出することがなく、こぼれた液体の拡散を抑えることができるとともに、冷蔵室内の広範囲に冷気が循環しやすくなる。
【００６５】
また、上記した第１実施形態及び第２実施形態においては、収納ポケット５０，５３，２５３の底部５０ａ，５３ａに貫通孔５０ｉ，５３ｉを設けたが、収納ポケット５０，５３，２５３の底部５０ａ，５３ａに換えて、あるいは底部５０ａ，５３ａとともに、前側に周壁５０ｂ、５３ｂや左右の周壁５０ｃ，５０ｄ、５３ｃ、５３ｄに貫通孔を設けてもよい。収納ポケット５０，５３，２５３の底部５０ａ，５３ａととともに周壁５０ｂ、５０ｃ、５０ｄ、５３ｂ、５３ｃ、５３ｄに貫通孔を設ける場合、底部５０ａ，５３ａと５０ｂ、５０ｃ、５０ｄ、５３ｂ、５３ｃ、５３ｄに設ける貫通孔を連結してＬ字状の貫通孔としてもよい。
【００６６】
また、最下段の収納ポケット５０，５３の貫通孔５０ｉ，５３ｉの下方に、貫通孔５０ｉ，５３ｉから垂れ落ちた液体を受ける皿状又は凹状の受け部を仕切壁４や収納ポケット５０、５３に設けてもよい。これにより収納ポケット内にこぼれた液体が貫通孔から収納ポケットの外部へ流出しても受け部において受け止めることができ、こぼれた液体の拡散を抑えることができる。
【００６７】
また、収納ポケットの下側に、下方へ行くほど開口面積が広がるように傾斜するガイド部を有する凸部を貫通孔に沿って設けてもよい。このような凸部を設けることで、収納ポケット内にこぼれた液体が貫通孔から収納ポケットの外部へ流出しても、ガイド部を伝って収納ポケットの下面へ流れるため、こぼれた液体の拡散を抑えることができる。
【００６８】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６９】
１…冷蔵庫、２…冷蔵庫本体、３…断熱仕切壁、４…仕切壁、４ａ…凹部、５…吸込口、６…連通路、７…棚板、８…チルド容器、９…吸込口、１０…冷蔵室、１２…野菜室、２０…左扉、２０ａ…扉内側材、２１…右扉、２１ａ…扉内側材、２９…エバカバー、３０…冷蔵冷却器、３１…冷蔵ファン、３２…冷蔵冷却器室、３３…ダクト、３３ａ…吹出口、５０…収納ポケット、５０ａ…底部、５０ｂ…周壁、５０ｃ…周壁、５０ｄ…周壁、５０ｅ…取付部、５０ｆ…横仕切部、５０ｇ…前後仕切部、５０ｈ…小仕切、５０ｉ…貫通孔、５０ｊ…ゲート跡、５１…収納ポケット、５２…収納ポケット、５３…収納ポケット、５３ａ…底部、５３ｂ…周壁、５３ｃ…周壁、５３ｄ…周壁、５３ｅ…取付部、５３ｆ…横仕切部、５３ｉ…貫通孔、５３ｊ…ゲート跡、５４…収納ポケット、５５…収納ポケット
【図１】
2020112309.tif 000003
【図２】
2020112309.tif 000004
【図３】
2020112309.tif 000005
【図４】
2020112309.tif 000006
【図５】
2020112309.tif 000007
【図６】
2020112309.tif 000008
【図７】
2020112309.tif 000009
【図８】
2020112309.tif 000010
【図９】
2020112309.tif 000011
【図１０】
2020112309.tif 000012
【図１１】
2020112309.tif 000013